(57)【特許請求の範囲】
【請求項１】
車両内装部材に設けられて乗員室側に開口する本体と、該本体に開設され、空調用のフィルタを出し入れ可能なフィルタ交換口と、前記本体に配設され、前記フィルタ交換口を開閉可能な扉部材とを備えるグローブボックスであって、
前記扉部材は、
前記フィルタ交換口の第１開口領域に整合し、前記フィルタ交換口の一方の端部において前記本体にヒンジ部を介して枢支され、該ヒンジ部から離間する他端が前記第１開口領域から離間するよう姿勢変位可能な第１扉体と、
前記フィルタ交換口の前記第１扉体が整合する第１開口領域を除く第２開口領域に整合し、前記第１扉体の他端にスライド部を介してスライド自在に連結される第２扉体とを備えた
ことを特徴とするグローブボックス。
【請求項２】
前記第２扉体の端部が、前記フィルタ交換口の他方の端部に係止手段を介して係脱自在に係止される請求項１記載のグローブボックス。
【請求項３】
前記フィルタ交換口は、前記本体の奥壁から一方の側壁に亘って開設され、
前記第１扉体は、前記フィルタ交換口における側壁側の第１開口領域に整合し、
前記第２扉体は、前記フィルタ交換口における奥壁側の第２開口領域に整合する請求項１または２記載のグローブボックス。
【発明の詳細な説明】
【技術分野】
【０００１】
本発明は、グローブボックスに関し、更に詳細には、本体に開設されたフィルタ交換口を開放可能に閉成する扉部材を取付けたグローブボックスに関するものである。
【背景技術】
【０００２】
図１０に示すように、自動車の乗員室におけるフロントガラス下部には、車両内装部材であるインストルメントパネルＩＰが、その前面側を乗員室後方に向けた状態で配設されている。このインストルメントパネルＩＰには、運転席側にスピードメーターやタコメーター等を纏めた計器ユニット等が取付けられていると共に、助手席側に車体装備品や携帯品等を収納し得るグローブボックスＧＢが配設されている。このグローブボックスＧＢは、上方に開口する物品収納部を画成したバケット状に形成されてインストルメントパネルＩＰに回転可能に取付けられるバケットタイプや、乗員室側に開口する物品収納部を画成したボックス状に形成されてインストルメントパネルＩＰに固定されるボックスタイプ等がある。なお図１０では、ボックスタイプのグローブボックスＧＢを示しており、インストルメントパネルＩＰの一部をなす開閉扉１８により、該インストルメントパネルＩＰの前面側に開口した前側開口部が開閉されるようになっている。
【０００３】
また、前記インストルメントパネルＩＰの内部には、図１１に示すように、乗員室内の空調に供されるエアコンユニットＡＣが搭載される。そして、エアコンユニットＡＣのフィルタ配設部ＡＣ１は、乗員席側から見てグローブボックスＧＢの後方側に位置している。このため、ボックスタイプのグローブボックスＧＢの場合は、図１０および図１１に示すように、該グローブボックスＧＢの本体１０におけるエアコンユニットＡＣに対応する位置にフィルタ交換口２０を開口形成し、このフィルタ交換口２０を介してフィルタ配設部ＡＣ１に対するフィルタＡＦの着脱を行ない得るよう構成されている。そして、フィルタ交換口２０には、該フィルタ交換口２０の開口形状に整合する外郭形状の蓋部材３０が着脱可能に装着され、フィルタＡＦの交換作業時に取外すようになっている。なお、グローブボックスＧＢに設けたフィルタ交換口２０を介してフィルタＡＦを交換する構成に関しては、特許文献１に開示されている。
【０００４】
なお、グローブボックスＧＢの配設位置およびエアコンユニットＡＣの搭載位置は車種毎に異なり、図１０および図１１に示すように、グローブボックスＧＢの斜め後方にフィルタ配設部ＡＣ１が位置する場合がある。両者の位置関係がこのような場合には、フィルタＡＦのフィルタ通過領域Ｌが、本体１０のフィルタ配設部ＡＣ１に臨むコーナー部分１０Ａを挟んで隣接する側壁１２および奥壁１４に跨るようになるので、フィルタ交換口２０は奥壁１４から側壁１２に亘って開口する平面視Ｌ形となる。従って、フィルタ交換口２０に装着される蓋部材３０も、該フィルタ交換口２０の形態に合わせたＬ形となっている。
【特許文献１】特開２００２−３４７５２５号公報
【発明の開示】
【発明が解決しようとする課題】
【０００５】
ところで、前述した蓋部材３０は、図１０および図１１に示すように、該蓋部材３０の下端部や側端部等に設けた係止片部３２を、フィルタ交換口２０の開口縁部に係止させることで、本体１０に着脱可能に装着する構造となっている。このため、蓋部材３０の取外し時には、該蓋部材３０を手前へ強く引張らなければ係止片部３２が本体１０から外れないと共に、蓋部材３０の取付け時には、該蓋部材３０を奥側へ強く押込まなければ係止片部３２が本体１０に係止されない。すなわち、蓋部材３０の弾性変形に基づいて着脱が可能な構成となっており、着脱作業を行ない難い欠点があった。また、蓋部材３０をフィルタ交換口２０へ取付ける際に、係止片部３２と本体１０とが適切に整合していないと、蓋部材３０がフィルタ交換口２０を介して本体１０の裏側へ脱落する不都合もあった。更に、本体１０から蓋部材３０を取外した際および蓋部材３０を本体１０に取付ける際に、蓋部材３０がグローブボックスＧＢの内面に接触して、該内面に傷が付いてしまう不都合等もあった。また更に、取り外した蓋部材３０の置き場所を確保する必要があり、床等に置いた蓋部材３０を踏んで破損させたり紛失するおそれもあった。
【０００６】
そこで本発明では、前述した従来の技術に内在している課題に鑑み、これを好適に解決するべく提案されたものであって、本体に取り付けた扉部材を該本体から取り外すことなく、本体に開設されたフィルタ交換口を開閉させ得るよう構成することで、フィルタ交換口を介したフィルタの交換作業の簡易化を図ったグローブボックスを提供することを目的とする。
【課題を解決するための手段】
【０００７】
前記課題を解決し、所期の目的を達成するため、請求項１に記載の発明は、車両内装部材に設けられて乗員室側に開口する本体と、該本体に開設され、空調用のフィルタを出し入れ可能なフィルタ交換口と、前記本体に配設され、前記フィルタ交換口を開閉可能な扉部材とを備えるグローブボックスであって、
前記扉部材は、
前記フィルタ交換口の第１開口領域に整合し、前記フィルタ交換口の一方の端部において前記本体にヒンジ部を介して枢支され、該ヒンジ部から離間する他端が前記第１開口領域から離間するよう姿勢変位可能な第１扉体と、
前記フィルタ交換口の前記第１扉体が整合する第１開口領域を除く第２開口領域に整合し、前記第１扉体の他端にスライド部を介してスライド自在に連結される第２扉体とを備えたことを要旨とする。
【０００８】
従って、請求項１に係る発明によれば、本体に開設されたフィルタ交換口を、本体に取り付けた扉部材を該本体から取り外すことなく開閉することができ、フィルタ交換口を介したフィルタの交換作業を可能とし得る。すなわち扉部材は、第１扉体に対して第２扉体をスライドさせたもとで、これら第１扉体と第２扉体とを回転させることで、フィルタ交換口を簡易に開放し得る。そして、扉部材が本体に連結されているので、フィルタ交換口を開閉させる際に扉部材が本体の裏側へ脱落することがない。また、フィルタ交換口を開閉させる際に扉部材を本体から取り外さないので、扉部材の置き場所を確保する必要がないと共に、破損させたり紛失することもない。
【０００９】
請求項２に記載の発明は、前記第２扉体の端部が、前記フィルタ交換口の他方の端部に係止手段を介して係脱自在に係止されることを要旨とする。
従って、請求項２に係る発明によれば、フィルタ交換口を閉成した第２扉体の姿勢保持を図り得る。
【００１０】
請求項３に記載の発明は、前記フィルタ交換口は、前記本体の奥壁から一方の側壁に亘って開設され、
前記第１扉体は、前記フィルタ交換口における側壁側の第１開口領域に整合し、
前記第２扉体は、前記フィルタ交換口における奥壁側の第２開口領域に整合することを要旨とする。
従って、請求項３に係る発明によれば、本体の奥壁から一方の側壁に亘って開設されたフィルタ交換口であっても、本体に取り付けた扉部材を該本体から取り外すことなく該フィルタ交換口を開閉し得る。
【発明の効果】
【００１１】
本発明に係るグローブボックスによれば、本体に取り付けた扉部材を該本体から取り外すことなく、本体に開設されたフィルタ交換口を開閉させ得るので、該フィルタ交換口を介したフィルタの交換作業を簡易に行ない得る。
【発明を実施するための最良の形態】
【００１２】
次に、本発明に係るグローブボックスにつき、好適な実施例を挙げて、添付図面を参照しながら以下説明する。なお各実施形態では、グローブボックスＧＢの奥行き方向(側壁１２の延在方向)を前後方向とし、グローブボックスＧＢの左右方向(奥壁１４の延在方向)を左右方向と指称する。そして、インストルメントパネルＩＰの乗員席側を指向する方向、すなわち本体１０の開口部側をグローブボックスＧＢの「前方」とし、本体１０の奥側を「後方」と指称する。
【実施例】
【００１３】
(実施形態１)
図１は、実施形態１のグローブボックスＧＢにおいて、本体１０のコーナー部分１０Ａに設けたフィルタ交換口２０と、このフィルタ交換口２０を開閉するように本体１０に取付けられる扉部材５０とを示した分解斜視図である。実施形態１のグローブボックスＧＢは、図１０に示すように、車両内装部材であるインストルメントパネルＩＰの助手席側前方において、該インストルメントパネルＩＰの前方(乗員室側)に開口するボックス状の本体１０を備えている。この本体１０は、底壁１６、図示省略した上壁、左右の側壁(左側の側壁は図示省略)１２および奥壁１４から構成され、インストルメントパネルＩＰの前方へ開口している。
【００１４】
フィルタ交換口２０は、コーナー部分１０Ａを挟んで隣接する奥壁１４から右側の側壁１２に亘って平面視Ｌ形で横長矩形状に開設されている。ここで説明の便宜上、フィルタ交換口２０のコーナー部分１０Ａを境とした側壁１２側に位置する一方の開口領域を第１開口領域２０Ａとし、奥壁１４側に位置する他方の開口領域を第２開口領域２０Ｂと指称する。なおフィルタ交換口２０は、図１に示すように、第１開口領域２０Ａの前後開口幅Ｗ１より、第２開口領域２０Ｂの左右開口幅Ｗ２の方が大きく設定されている。また、第２開口領域２０Ｂの左右開口幅Ｗ２は、フィルタ交換口２０の上縁における本体１０の奥行き寸法Ｄより大きく設定されている。
【００１５】
そして、フィルタ交換口２０の第１開口領域２０Ａにおける前縁部を第１縁部２１、上縁部を第２縁部２２、下縁部を第３縁部２３とすると、第１縁部２１と第２縁部２２との角部および第１縁部２１と第３縁部２３との角部には、ヒンジ部３６を構成するヒンジ孔３８,３８が、第１開口領域２０Ａに開口するように形成されている。また、第２縁部２２の後端および第３縁部２３の後端、すなわちコーナー部分１０Ａの近傍には、スライド部４０を構成するスライドピン４１,４１(後述)が右方から嵌合保持される凹部４３,４３が形成されている。更に、フィルタ交換口２０の第２開口領域２０Ｂにおける左縁部を第４縁部２４、上縁部を第５縁部２５、下縁部を第６縁部２６とすると、第５縁部２５および第６縁部２６には、左端から各縁部２５,２６に沿って所要長さで延在して第２開口領域２０Ｂ側に開口するガイド溝２７,２７が延設されている。なお、ガイド溝２７,２７の右端は奥壁１４の前方向へ折曲し、奥壁１４の内面に開口した挿通部２７Ａ,２７Ａとなっている。
【００１６】
扉部材５０は、図１に示すように、フィルタ交換口２０の第１開口領域２０Ａに整合する外郭形状に形成された第１扉体としての側方扉体５２と、該フィルタ交換口２０の第２開口領域２０Ｂに整合する外郭形状に形成された第２扉体としての後方扉体６０とから構成されている。すなわち、側方扉体５２および後方扉体６０により折曲状態となった扉部材５０により、フィルタ交換口２０が全面的に閉成され得るようになっている。なお、側方扉体５２の前端部を第１端部５３、上端部を第２端部５４、下端部を第３端部５５、後端部を第４端部５６と指称すると共に、後方扉体６０の左端部を第５端部６１、上端部を第６端部６２、下端部を第７端部６３、右端部を第８端部６４と指称する。
【００１７】
側方扉体５２は、図１に示すように、略正方形状のプレート状部材であって、該側方扉体５２の前後長Ｈ１は、第１開口領域２０Ａの前後開口幅Ｗ１と同一となっている。そして、側方扉体５２における第２端部５４の前端および第３端部５５の前端には、ヒンジ部３６を構成するヒンジピン３７,３７が、垂直方向の同一軸線上において上方および下方へ突出形成されている。また、第２端部５４の後端および第３端部５５の後端には、スライド部４０を構成する丸棒状のスライドピン４１,４１が、垂直方向の同一軸線上において上方および下方へ突出形成されている。従って側方扉体５２は、ヒンジピン３７,３７を対応のヒンジ孔３８,３８に夫々突入嵌合させることで、フィルタ交換口２０における一方の端部である第１縁部２１において本体１０に回転可能に取付けられる。これにより側方扉体５２は、フィルタ交換口２０の第１開口領域２０Ａに整合した状態(図２)と、ヒンジ端となる第１端部５３と対向離間する自由端である第４端部５６が、フィルタ交換口２０から右方(外方)へ離間した状態(図５)とに姿勢変位可能となっている。
【００１８】
なお、側方扉体５２が第１開口領域２０Ａに整合した際には、前述したスライドピン４１,４１の先端部が凹部４３,４３に嵌合するので、側方扉体５２が本体１０の内側方向へ姿勢変位するのは規制される。また、凹部４３,４３のスライドピン４１,４１が通過する開口部分の幅寸法は、該スライドピン４１,４１の外径より僅かに小さく設定されており、凹部４３,４３に対するスライドピン４１,４１の嵌脱は若干の力を付与することで実現される。従って、凹部４３,４３にスライドピン４１,４１が嵌合している状態では、側方扉体５２が第１開口領域２０Ａに整合した状態に姿勢保持される。
【００１９】
後方扉体６０は、図１に示すように、長方形状のプレート状部材であって、該後方扉体６０の左右長Ｈ２は、本体１０の前述した奥行き寸法Ｄより大きく、第２開口領域２０Ｂの左右開口幅Ｗ２と同一となっている。そして、後方扉体６０の後述するガイドピン(係止手段)４５,４５を除く部分は、フィルタ交換口２０の第１開口領域２０Ａおよび第２開口領域２０Ｂに対して、本体１０の内外方向への通過が可能な形状・サイズに形成されている。この後方扉体６０における第６端部６２の左端および第７端部６３の左端には、前述したガイド溝２７,２７に摺動自在に係合するガイドピン４５,４５が、垂直方向の同一軸線上において上方および下方へ突出形成されている。また、後方扉体６０の第６端部６２および第７端部６３には、スライド部４０を構成する長孔状のスライド孔４２,４２が、後方扉体６０の延在方向に沿って延在形成されている。これらスライド孔４２,４２には、前述したスライドピン４１,４１が上下に貫通し、該スライド孔４２,４２の上方および下方へ突出したスライドピン４１,４１の突出先端部が、前述した凹部４３,４３に嵌合するよう構成されている。従って、スライド孔４２,４２にスライドピン４１,４１が摺動可能に係合することで、側方扉体５２に対して後方扉体６０がスライド自在に連結される(図３)。なお、ガイド溝２７の全長Ｓ１とスライド孔４２の全長Ｓ２とは同一となっていると共に、側方扉体５２の前後長Ｈ１と後方扉体６０におけるスライド孔４２が形成されていない部位の長さＨ３とが略同一となっている。
【００２０】
また、スライド孔４２,４２に係合したスライドピン４１,４１は、スライド孔４２,４２に係合した状態において、軸心を中心とした周方向への回転が許容される。これにより後方扉体６０は、スライドピン４１,４１を回転中心として、側方扉体５２に連結された状態で回転が可能となっている(図４)、すなわち、実施形態１のスライド部４０はヒンジ機能を併有している。
【００２１】
従って後方扉体６０は、図２に示すように、側方扉体５２が第１開口領域２０Ａに整合した状態において、スライドピン４１,４１がスライド孔４２,４２の左端に到来するまで右方へスライドさせると、ガイドピン４５,４５がガイド溝２７,２７の挿通部２７Ａ,２７Ａに整合するよう構成されている。また、この状態で後方扉体６０を左方向へ押すと、ガイドピン４５,４５がガイド溝２７,２７に沿って移動すると共に、スライドピン４１,４１がスライド孔４２,４２に沿って相対的に移動することで、後方扉体６０は左方向へ移動して第２開口領域２０Ｂに整合した状態となる。また、スライド部４０から対向離間する第５端部６１側に設けたガイドピン４５,４５がガイド溝２７,２７に係止されることで、後方扉体６０の第５端部６１側が本体１０の外方向(後方)へ移動するような姿勢変位が規制される。
【００２２】
なお、後方扉体６０の裏面には、図１に示すように、第５端部６１から左方へ延出した係止片部６５が形成され、この係止片部６５の前面には凸部６６が形成されている。また、奥壁１４の裏面には、図１に示すように、後方扉体６０が第２開口領域２０Ｂに整合した際に前述した凸部６６が係合する凹部６７が形成されている。更に、後方扉体６０の前面には陥凹状の指掛部６８が形成されており、後方扉体６０を左右にスライドさせる際に指先を掛け得るようになっている。
【００２３】
従って、前述のように構成された実施形態１のグローブボックスＧＢでは、扉部材５０がフィルタ交換口２０を閉成した際には、前述すると共に図２に示すように、側方扉体５２が該フィルタ交換口２０の第１開口領域２０Ａに整合し、後方扉体６０が該フィルタ交換口２０の第２開口領域２０Ｂに整合する。そして、後方扉体６０が第２開口領域２０Ｂに整合した際に凸部６６が凹部６７に嵌合するので、該後方扉体６０は第２開口領域２０Ｂを閉成した状態に姿勢保持される。また、後方扉体６０が第２開口領域２０Ｂに整合した状態では、スライドピン４１,４１がスライド孔４２,４２の右端に位置して凹部４３,４３に嵌合保持されるので、側方扉体５２は第１開口領域２０Ａを閉成した状態に姿勢保持される。
【００２４】
そして、フィルタ交換口２０を開放する場合には、先ず図３に示すように、後方扉体６０を右方向へスライド移動させる。すなわち、指掛部６８に指先を掛けたもとで後方扉体６０を右方向へ押すと凸部６６と凹部６７との嵌合が解除され、後方扉体６０が右方向へスライドし始める。この際に、ガイドピン４５,４５がガイド溝２７,２７に沿って右方向へ移動すると共に、スライド孔４２,４２に対してスライドピン４１,４１が左方向へ相対的に移動するので、後方扉体６０は前後方向への姿勢変位が規制されながら第２開口領域２０Ｂに沿って右方へ移動する。そして、ガイドピン４５,４５がガイド溝２７,２７の右端に当接すると共に、スライドピン４１,４１がスライド孔４２,４２の左端に当接すると、後方扉体６０は図３に示した位置で位置規制される。
【００２５】
次いで、図４に示すように、後方扉体６０の第５端部６１を前方に引張る。これにより後方扉体６０は、スライドピン４１,４１を中心として前方へ回転し、側方扉体５２の左側に折り重なった状態となる。なお、前述すると共に図１に示すように、側方扉体５２の前後長Ｈ１と、後方扉体６０の第２ヒンジ孔４２が形成されていない部位の長さＨ３とが略同一となっているので、後方扉体６０の第５端部６１は、側方扉体５２の第１端部５３と略同じ位置となってグローブボックスＧＢから前方へ突出しない。すなわち、後方扉体６０の左右長Ｈ２が本体１０の奥行き寸法Ｄより大きく設定されているが、右方へスライドさせた状態で回転させるため、後方扉体６０はグローブボックスＧＢ(本体１０)から前方へ突出しない。また、後方扉体６０はスライド部４０を介して側方扉体５２に連結されているので、前方へ回転する際に該後方扉体６０が本体１０の底壁１６や上壁に接触することがなく、よって本体１０の内面に傷が付くことが防止される。
【００２６】
次いで、図５に示すように、後方扉体６０の後側部分を右方へ押すと、凹部４３,４３に嵌合保持されていたスライドピン４１,４１が該凹部４３,４３が抜け出て、側方扉体５２がヒンジ部３６を中心として右方(外方)へ回転する。これにより、側方扉体５２に連結された後方扉体６０も、側方扉体５２の回転に追従して右方へ姿勢変位する。従って側方扉体５２および後方扉体６０は、図５に示すように、フィルタＡＦのフィルタ通過領域Ｌから側方へ退避した位置へ姿勢変位してフィルタ交換口２０を開放し、フィルタ交換口２０を介したフィルタＡＦの交換作業が可能となる。なお、側方扉体５２はヒンジ部３６を介して本体１０に連結されているので、側方扉体５２に追従して姿勢変位する後方扉体６０が本体１０の底壁１６や上壁に接触することがなく、よって本体１０の内面に傷が付くことが防止される。
【００２７】
フィルタ交換口２０を閉成する場合は、図５の状態において、先ず後方扉体６０の後側部分を左方へ移動させる。これにより、後方扉体６０および側方扉体５２がヒンジ部３６を中心として左方へ回転し、スライドピン４１,４１が各凹部４３,４３に嵌合することで、側方扉体５２が第１開口領域２０Ａに整合する(図４)。
【００２８】
次いで、前方を指向している後方扉体６０の第５端部６１を左後方へ押すと、該後方扉体６０はスライドピン４１,４１を中心として回転し、ガイドピン４５,４５が挿通部２７Ａ,２７Ａからガイド溝２７,２７に係止される(図３)。そして、後方扉体６０を左方へスライドさせ、ガイドピン４５,４５がガイド溝２７,２７の左端に当接すると共にスライドピン４１,４１がスライド孔４２,４２の右端に当接することで、後方扉体６０は第２開口領域２０Ｂに整合した状態となる(図２)。
【００２９】
このように、実施形態１のグローブボックスＧＢによれば、本体１０の奥壁１４から一方の側壁１２に亘って開設されたフィルタ交換口２０を、該本体１０に枢支自在に取り付けた側方扉体５２および該側方扉体５２にスライド自在に連結した後方扉体６０により閉成することが可能である。また、フィルタ交換口２０を開放する際には、後方扉体６０を側方扉体５２に対してスライドさせると共に回転させ、折り重なった後方扉体６０と側方扉体５２とを本体１０に対して回転させることで、扉部材５０を本体１０から取り外すことなくフィルタ交換口２０を開放することができ、フィルタ交換口２０を介したフィルタＡＦの交換作業を簡易に行ない得る。そして、後方扉体６０が側方扉体５２に対してスライド自在に連結されているので、側方扉体５２に折り重なった後方扉体６０の左右長Ｈ２が本体１０の奥行き寸法Ｄより大きく設定されていても、該後方扉体６０が本体１０(グローブボックスＧＢ)の前方へ突出することが防止される。また、フィルタ交換口２０を開放する際に扉部材５０を本体１０から取り外さないので、該扉部材５０の置き場所を確保する必要がないと共に、取り外すことによる紛失や破損等を防止し得る。また、フィルタ交換口２０を開閉する際に、扉部材５０が本体１０の内面に接触しないので、該本体１０の内面に傷が付くことがない。
【００３０】
(実施形態２)
図６は、実施形態２のグローブボックスＧＢにおいて、本体１０の奥壁１４に設けたフィルタ交換口７０と、このフィルタ交換口７０を開閉するように本体１０に取付けられる扉部材８０とを示した分解斜視図である。実施形態２のグローブボックスＧＢは、本体１０における平坦状の奥壁１４のみにフィルタ交換口７０が開設されている。また扉部材８０は、本体１０に枢支された第１扉体である第１後方扉体８２と、この第１後方扉体８２にスライド自在に連結した第２扉体である第２後方扉体９０とから構成されている。
【００３１】
フィルタ交換口７０は、右縁部である第１縁部７１、上縁部である第２縁部７２、下縁部である第３縁部７３および左縁部である第４縁部７４からなる横長矩形状に開設され、フィルタＦの挿通を許容する大きさに設定されている。図６および図７に示すように、フィルタ交換口７０の左右開口幅Ｗは、本体１０の奥行き寸法Ｄの２倍程度に設定されている。なお、説明の便宜上、左右方向の中間を境とした右側の開口領域を第１開口領域７０Ａとし、左側の開口領域を第２開口領域７０Ｂと指称する。そして、フィルタ交換口７０の第１縁部７１における上方および下方には、ヒンジ部９６を構成する蝶番形態のヒンジ部材９７,９７が取付けられている。また、第２縁部７２および第３縁部７３の第４縁部７４側には、所要長さのガイド溝１０７,１０７が、該縁部７２,７３に沿って第２開口領域７０Ｂ側に開口するように延設されている。なお、ガイド溝１０７,１０７の右端は奥壁１４の前方向へ折曲し、奥壁１４の内面に開口した挿通部１０７Ａ,１０７Ａとなっている。更に、第２縁部７２および第３縁部７３の左右略中央には、後述するスライド部１００の枠状ガイド１０１の上下部分が夫々整合する嵌合凹部１０８,１０８が形成されている。
【００３２】
第１後方扉体８２は、図６および図７に示すように、略矩形状のプレート状部材で第１開口領域７０Ａに整合する形状となっており、該第１後方扉体８２の左右長Ｈ１は、フィルタ交換口７０の左右開口幅Ｗの１／２よりやや大きく設定され、本体１０の奥行き寸法Ｄと略同一となっている。そして、第１後方扉体８２の第１端部８３には、前述したヒンジ部９６を構成するヒンジ部材９７,９７が取付けられ、これらヒンジ部材９７,９７を介して本体１０に枢支される。また、図６に示すように、第１後方扉体８２の裏面左縁には、スライド部１００を構成する左右方向へ開口する枠状ガイド１０１が、第４端部８６に沿って上下方向へ延在するように形成されている。この枠状ガイド１０１には、第２後方扉体９０が左側から挿通して摺動可能となっており、第１後方扉体８２の裏面に沿って第２後方扉体９０が左右方向へスライド自在に連結される。なお枠状ガイド１０１は、第２端部８４の上方および第３端部８５の下方へ突出しており、この上下突出部分が前述した嵌合凹部１０８,１０８に夫々嵌合するようになっている。また第１端部８３には、後方へ突出したストッパー部８７が形成されており、第２後方扉体９０を右方へ最大にスライドさせた際に、該第２後方扉体９０の第５端部９１が該ストッパー部８７に当接するようになっている。
【００３３】
第２後方扉体９０は、図６に示すように、略矩形状のプレート状部材で第２開口領域７０Ｂに整合する形状となっており、該第２後方扉体９０の左右長Ｈ２は、フィルタ交換口７０の左右開口幅Ｗの１／２よりやや大きく設定され、本体１０の奥行き寸法Ｄと略同一となっている。この第２後方扉体９０の第６端部９２および第７端部９３の左端には、前述したガイド溝１０７,１０７に摺動自在に係合するガイドピン(係止手段)１０６,１０６が、上方および下方へ突出した状態に形成されている。そして第２後方扉体９０は、図８に示すように、第１後方扉体８２が第１開口領域７０Ａに整合した状態において右方へ最大にスライドさせると、ガイドピン１０６,１０６がガイド溝１０７,１０７の挿通部１０７Ａ,１０７Ａに整合するよう構成されている。また、この状態で第２後方扉体９０を左方向へ押すと、ガイドピン１０６,１０６がガイド溝１０７,１０７に沿って移動すると共に、該第２後方扉体９０が枠状ガイド１０１内を摺動することで、第２後方扉体９０は左方向へスライドして第２開口領域７０Ｂに整合した状態となる(図７)。
【００３４】
第２後方扉体９０の裏面には、図６に示すように、第８端部９４から左方へ延出した係止片部１１０が形成され、この係止片部１１０の前面には凸部１１１が形成されている。また、奥壁１４の第４縁部７４に隣接した裏面には、図６に示すように、第２後方扉体９０が第２開口領域７０Ｂに整合した状態において凸部１１１が嵌合する凹部１１２が形成されている。更に、第２後方扉体９０の前面には、陥凹状の指掛部１１３が形成されている。
【００３５】
従って、前述のように構成された実施形態２のグローブボックスＧＢでは、扉部材８０がフィルタ交換口７０を閉成した際には、前述すると共に図７に示すように、第１後方扉体８２が該フィルタ交換口７０の第１開口領域７０Ａに整合し、第２後方扉体９０が該フィルタ交換口７０の第２開口領域７０Ｂに整合する。この状態では、第１後方扉体８２の左側部分と第２後方扉体９０の右側部分とが前後方向において重なり、扉部材８０の左右全長Ｈはフィルタ交換口７０の左右開口幅Ｗと同一となる。そして、凸部１１１が凹部１１２に嵌合保持されると共に、枠状ガイド１０１が嵌合凹部１０８,１０８に嵌合保持されるので、扉部材８０はフィルタ交換口７０を閉成した状態に姿勢保持される。
【００３６】
フィルタ交換口７０を開放する場合には、先ず図８に示すように、第２後方扉体９０を右方向へスライドさせる。すなわち、指掛部１１３に指先を掛けたもとで第２後方扉体９０を右方向へ押すと、凸部１１１と凹部１１２との嵌合が解除され、第２後方扉体９０が右方向へスライドし始める。この際に、ガイドピン１０６,１０６がガイド溝１０７,１０７に沿って右方向へ移動すると共に、第２後方扉体９０がスライド部１００の枠状ガイド１０１内を摺動するので、第２後方扉体９０は前後方向への姿勢変位が規制されながら第２開口領域７０Ｂに沿って右方へスライドする。そして、ガイドピン１０６,１０６がガイド溝１０７,１０７の右端に当接する共に、第２後方扉体９０の第５端部９１が第１後方扉体８２のストッパー部８７に当接し、第２後方扉体９０は図８に示した位置で位置規制されて、第２後方扉体９０は第１後方扉体８２の裏側に重なった状態となる。
【００３７】
次いで、図９に示すように、第２後方扉体９０の第８端部９４側を前方に引き出すことで、枠状ガイド１０１が嵌合凹部１０８,１０８から前方へ移動し、第２後方扉体９０および第１後方扉体８２は重なった状態でヒンジ部９６を中心として前方へ回転する。なお、前述すると共に図６に示すように、第１後方扉体８２の左右長Ｈ１および第２後方扉体９０の左右長Ｈ２は、本体１０の奥行き寸法Ｄと略同一となっているので、第１後方扉体８２の第４端部８６および第２後方扉体９０の第８端部９４は、グローブボックスＧＢ(本体１０)から前方へ突出しない。そして、第２後方扉体９０はスライド部１００を介して第１後方扉体８２に連結されているので、第１後方扉体８２が前方へ回転する際に該第２後方扉体９０が本体１０の底壁１６や上壁に接触することがなく、よって本体１０の内面に傷が付くことが防止される。
【００３８】
フィルタ交換口７０を閉成する場合は、図９の状態において、先ず重なっている第１後方扉体８２および第２後方扉体９０を、左後方へ押しながらヒンジ部９６を中心して回転させる。これにより、枠状ガイド１０１の上下部分が嵌合凹部１０８,１０８に嵌合して、第２後方扉体９０および第１後方扉体８２が第１開口領域７０Ａに整合すると共に、ガイドピン１０６,１０６がガイド溝１０７,１０７の挿通部１０７Ａ,１０７Ａに整合する。次いで、第２後方扉体９０を左方向へスライドさせ、ガイドピン１０６,１０６がガイド溝１０７,１０７の左端に当接し、第２後方扉体９０は第２開口領域７０Ｂに整合した状態となる(図７)。
【００３９】
このように、実施形態２のグローブボックスＧＢによれば、本体１０の奥壁１４に開設されたフィルタ交換口７０を、該本体１０に枢支自在に取り付けた第１後方扉体８２および該第１後方扉体８２にスライド自在に連結した第２後方扉体９０により閉成することが可能である。また、フィルタ交換口７０を開放する際には、第２後方扉体９０を第１後方扉体８２に対してスライドさせ、重なった第２後方扉体９０と第１後方扉体８２とを本体１０に対して回転させることで、扉部材８０を本体１０から取り外すことなくフィルタ交換口７０を開放することができ、フィルタ交換口７０を介したフィルタＡＦの交換作業を簡易に行ない得る。そして、第２後方扉体９０が第１後方扉体８２に対してスライド自在に連結されているので、フィルタ交換口７０を閉成する扉部材８０の左右全長Ｈが本体１０の奥行き寸法Ｄより大きく設定されていても、該第２後方扉体９０が本体１０(グローブボックスＧＢ)の前方へ突出することが防止される。しかも、開放させた扉部材８０の第１後方扉体８２および第２後方扉体９０は、何れも本体１０から後方へ突出しない。更に、フィルタ交換口７０を開放する際に扉部材８０を本体１０から取り外さないので、該扉部材８０の置き場所を確保する必要がないと共に、取り外すことによる紛失や破損等を防止し得る。また更に、フィルタ交換口７０を開閉する際に、扉部材８０が本体１０の内面に接触しないので、該本体１０の内面に傷が付くことがない。
【００４０】
第１扉体５２,８２を本体１０に回転自在に枢支させるヒンジ手段は、実施形態１のヒンジ部３６の形態や実施形態２のヒンジ部９６の形態に限定されず、様々な態様のヒンジ手段を実施することが可能である。
【００４１】
第２扉体６０,９０を第１扉体５２,８２にスライド自在に連結するスライド手段は、実施形態１のスライド部４０の形態や、実施形態２のスライド部１００の形態に限定されるものではなく、様々な態様のスライド手段を実施することが可能である。
【００４２】
実施形態１では、ヒンジ機能を併有したスライド部４０を例示したが、実施形態１にヒンジ機能を有さないスライド部４０を実施することも可能である。この場合は、第１扉体である側方扉体５２に対して第２扉体である後方扉体６０を、スライド部により側方扉体５２に対して所要量スライドさせた後、所謂「Ｔ形」または「逆Ｌ形」に変形した扉部材５０を、ヒンジ部３６を中心として右方へ回転させれば、フィルタ交換口２０を開放することが可能である。
【００４３】
フィルタ交換口２０,７０の開口形状や、第１扉体５２,８２および第２扉体６０,９０の形状は、実施形態１および実施形態２に示した形状に限定されない。例えば実施形態１では、第１扉体である側方扉体５２がフィルタ交換口２０を通過して本体１０内へ姿勢変位しないので、該側方扉体５２は第１開口領域２０Ａより大きく設定してもよい。また、フィルタ交換口２０,７０における第１開口領域２０Ａ,７０Ａおよび第２開口領域２０Ｂ，７０Ｂの開口比率や、第１扉体５２,８２と第２扉体６０,９０との寸法比率等も、実施形態１や実施形態２に示したものに限定されない。
【図面の簡単な説明】
【００４４】
【図１】実施形態１に係るグローブボックスのフィルタ交換口が開設された部位と、本体に配設される扉部材とを示した分解斜視図である。
【図２】実施形態１における扉部材の側方扉体および後方扉体により、フィルタ交換口を閉成した状態を示した平断面図である。
【図３】後方扉体を右方へスライドさせた状態を示した平断面図である。
【図４】後方扉体を前方へ回転させ、該後方扉体を側方扉体へ折り重ねた状態を示した平断面図である。
【図５】後方扉体および側方扉体を右方へ回転させ、両扉体をフィルタ通過領域から退避した位置へ姿勢変位させてフィルタ交換口を開放させた状態を示した平断面図である。
【図６】実施形態２に係るグローブボックスのフィルタ交換口が開設された部位と、本体に配設される扉部材とを示した分解斜視図である。
【図７】実施形態２における扉部材の第１後方扉体および第２後方扉体により、フィルタ交換口を閉成した状態を示した平断面図である。
【図８】第２後方扉体を右方へスライドさせた状態を示した平断面図である。
【図９】第２後方扉体および第１後方扉体を前方へ回転させ、両扉体をフィルタ通過領域から退避した位置へ姿勢変位させてフィルタ交換口を開放させた状態を示した平断面図である。
【図１０】グローブボックスにおける本体に設けたフィルタ交換口から蓋部材を取外し、このフィルタ交換口を介してフィルタを取外す状態を示した斜視図である。
【図１１】図１０の状態を示した平断面図である。
【符号の説明】
【００４５】
１０ 本体，１２ 側壁，１４ 奥壁，２０ フィルタ交換口，２０Ａ 第１開口領域
２０Ｂ 第２開口領域，３６ ヒンジ部，４０ スライド部，４５ ガイドピン(係止手段)
５０ 扉部材，５２ 側方扉体(第１扉体)，６０ 後方扉体(第２扉体)
７０ フィルタ交換口，７０Ａ 第１開口領域，７０Ｂ 第２開口領域，８０ 扉部材
８２ 第１後方扉体(第１扉体)，９０ 第２後方扉体(第２扉体)，９６ ヒンジ部
１００ スライド部，１０６ ガイドピン(係止手段)，ＡＦ フィルタ
【図１】
0005005509.tif 000002
【図２】
0005005509.tif 000003
【図３】
0005005509.tif 000004
【図４】
0005005509.tif 000005
【図５】
0005005509.tif 000006
【図６】
0005005509.tif 000007
【図７】
0005005509.tif 000008
【図８】
0005005509.tif 000009
【図９】
0005005509.tif 000010
【図１０】
0005005509.tif 000011
【図１１】
0005005509.tif 000012